(57)【要約】【課題】表示側ケースが操作側ケースに対して短手方向にスライドするとともに斜めに開けられる電子装置を提供すること。【解決手段】操作側ケースと、前記操作側ケースに重ね合わせて設置される表示側ケースと、前記表示側ケースの背面に取り付けられ且つ一端は前記操作側ケースに回転可能に枢着されるスライド機構と、一端は前記スライド機構に回転可能に枢着され、他端は前記操作側ケース上に回転しながらスライド可能に枢着される回転支持部材と、両端はそれぞれ前記回転支持部材及び前記スライド機構に固定されるトーションバネと、を備える。前記トーションバネは弾性力を解放する際に、前記回転支持部材は前記トーションバネのトルクにより斜めに立ち上がると共に、前記表示側ケースは前記回転支持部材に支持されて、前記スライド機構の前記操作側ケースに枢着される一端を支点として、前記操作側ケースに対して傾くように立ち上がる。【選択図】図６
2011147101.tif 000002
【特許請求の範囲】
【請求項１】
操作側ケースと、
前記操作側ケースに重ね合わせて設置される表示側ケースと、
前記表示側ケースの背面に取り付けられ且つ一端は前記操作側ケースに回転可能に枢着されて、前記表示側ケースの前記操作側ケースに対するスライドを実現するスライド機構と、
一端は前記スライド機構に回転可能に枢着され、他端は前記操作側ケース上に回転しながらスライド可能に枢着される回転支持部材と、
両端がそれぞれ前記回転支持部材及び前記スライド機構に固定されるトーションバネと、
を備えてなる電子装置であって、
前記トーションバネが弾性力を解放する際に、前記回転支持部材が前記トーションバネのトルクにより斜めに立ち上がると共に、
前記表示側ケースは、前記回転支持部材に支持されて、前記スライド機構の前記操作側ケースに枢着される一端を支点として、前記操作側ケースに対して傾くように立ち上がることを特徴とする電子装置。
【請求項２】
前記スライド機構は、固定板及び前記固定板にスライド可能に取り付けられるスライド板を含み、
前記固定板は前記表示側ケースに固定され、前記回転支持部材の一端は前記スライド板に回転可能に枢着されることを特徴とする請求項１の記載の電子装置。
【請求項３】
前記操作側ケースの上面には少なくとも１つの位置決め部材が突設され、前記表示側ケースの背面には前記位置決め部材に対応するガイド溝が設けられており、
前記表示側ケースを前記操作側ケースに対して閉じる場合、前記位置決め部材は前記ガイド溝内に滑り込んで収納されることを特徴とする請求項１に記載の電子装置。
【請求項４】
前記ガイド溝の一端は開口を有し、前記表示側ケースを前記操作側ケースに対して開ける場合、前記位置決め部材は前記ガイド溝の開口から離脱し、
従って、前記回転支持部材は前記トーションバネのトルクにより、前記操作側ケースに対して斜めに回転することを特徴とする請求項３に記載の電子装置。
【請求項５】
前記操作側ケースの上面には第一凹部が設けられ、前記第一凹部の対向する２つの側壁にはガイド溝がそれぞれ設けられ、
前記回転支持部材の一端は、前記ガイド溝に沿って前記第一凹部内でスライド可能に設置されることを特徴とする請求項１に記載の電子装置。
【請求項６】
前記スライド板の対向する両端には、第一当接部及び第二当接部がそれぞれ設けられ、
前記表示側ケースの長手方向の両側には、互いに向き合うように延在する第一突片及び第二突片がそれぞれ設けられ、
前記スライド板の前記第一当接部及び第二当接部を、それぞれ前記表示側ケースの第一突片及び第二突片当止させることにより、前記表示側ケースを前記操作側ケースに対して異なる位置に位置決めすることを特徴とする請求項２に記載の電子装置。
【請求項７】
前記操作側ケース上には位置決め軸が装着され、前記スライド板の一端には軸筒が設けられ、
前記軸筒は、前記位置決め軸に回転可能に枢着されることを特徴とする請求項２に記載の電子装置。
【請求項８】
前記スライド板上には第一固定部が設けられ、前記回転支持部材上には第二固定部が設けられ、
前記トーションバネの両端は、それぞれ前記第一固定部及び第二固定部に固定されることを特徴とする請求項２に記載の電子装置。
【請求項９】
前記スライド板は、ノッチと、前記ノッチの両側に突設される山形部と、前記２つの山形部の間に固定される第二回転軸と、を含み、
前記回転支持部材の一端は前記第二回転軸上に回転可能に枢着されることを特徴とする請求項２に記載の電子装置。
【発明の詳細な説明】
【技術分野】
【０００１】
本発明は電子装置に関し、特に表示側ケースが操作側ケースに対して短手方向にスライドするとともに斜めに開けられるスライド式電子装置に関するものである。
【背景技術】
【０００２】
現在市販されている携帯電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿って直線的にスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
また、最近、通信技術の飛躍的な発展と共に、携帯電子装置のデザインに対する要求も段々高くなり、前記携帯電子装置における上筐体と下筐体との間の開閉機構は、携帯電子装置のデザインに関する重要な要素になった。従来の折り畳み式や縦方向スライド式以外の新しい開閉機構を備えた携帯電子装置が望まれている。
【０００５】
以上の問題点に鑑みて、本発明の目的は、表示側ケースが操作側ケースに対して短手方向にスライドするとともに斜めに開けられる電子装置を提供することにある。
【課題を解決するための手段】
【０００６】
前記問題を解決するために、本発明に係る電子装置は、操作側ケースと、前記操作側ケースに重ね合わせて設置される表示側ケースと、前記表示側ケースの背面に取り付けられ且つ一端は前記操作側ケースに回転可能に枢着されるスライド機構と、一端は前記スライド機構に回転可能に枢着され、他端は前記操作側ケース上に回転しながらスライド可能に枢着される回転支持部材と、両端はそれぞれ前記回転支持部材及び前記スライド機構に固定されるトーションバネと、を備える。前記トーションバネは弾性力を解放する際に、前記回転支持部材は前記トーションバネのトルクにより斜めに立ち上がると共に、前記表示側ケースは前記回転支持部材に支持されて、前記スライド機構の前記操作側ケースに枢着される一端を支点として、前記操作側ケースに対して傾くように立ち上がる。
【発明の効果】
【０００７】
従来の技術と比べて、本発明の電子装置の表示側ケースと操作側ケースとの間には、スライド機構と、前記スライド機構に回転可能に枢着される回転支持部材と、前記スライド機構と回転支持部材との間に固定されるトーションバネと、が設置される。前記回転支持部材は、前記トーションバネのトルクにより前記操作側ケースに対して斜めに立ち上がると共に、前記表示側ケースを前記操作側ケースに対して傾くように持ち上げることができる。従って、本発明の電子装置を卓上に置いても、ユーザーは表示された画面を閲覧し易く、最もよい視覚効果を得られる。
【図面の簡単な説明】
【０００８】
【図１】本発明の実施形態に係る電子装置の立体分解図である。
【図２】図１に示す電子装置を別の視角から見た立体分解図である。
【図３】図１に示す電子装置が組立てられた後の閉じられた状態で立体斜視図である。
【図４】図３に示す電子装置のＩＶ−ＩＶ線に沿う断面図である。
【図５】図１に示す電子装置が組立てられた後の開いた状態での立体斜視図である。
【図６】図５に示す電子装置を背面側から見た立体斜視図である。
【図７】図５に示す電子装置のＶＩＩ−ＶＩＩ線に沿う断面図である。
【発明を実施するための形態】
【０００９】
図１及び図２に示すように、本発明の実施形態に係る電子装置１００は、操作側ケース１０と、表示側ケース２０と、スライド機構３０と、回転支持部材５０と、トーションバネ７０と、を備える。
【００１０】
前記操作側ケース１０の前記操作側ケース２０に対面する上面には、１つの略矩形の矩形凹所１０３及びＴ字状の断面を有する２つの位置決め部材１０８が設置されている。前記矩形凹所１０３は、前記操作側ケース１０の長手方向の片側に開設されており、前記スライド機構３０を収納するために用いられる。前記２つの位置決め部材１０８は、前記操作側ケース１０長手方向に沿って前記矩形凹所１０３の両側に対称的に突設され、前記表示側ケース２０を前記操作側ケース１０上にロックして、前記電子装置１００を封止状態に維持する。前記矩形凹所１０３の底面には、前記操作側ケース１０の短手方向に沿って収納凹部１０４が開設されている。前記収納凹部１０４は、第一凹部１０５に連通し且つ幅が前記第一凹部１０５より広い第二凹部１０６を含む。前記第一凹部１０５の対向する２つの側壁には、それぞれ１つのガイド溝１０７が設けられている。前記回転支持部材５０の一端の軸穴５２に枢着される第一回転軸４０の両端が、それぞれ前記２つのガイド溝１０７内でスライド可能に設置される。前記第二凹部１０６の前記第一凹部１０５から離れている一端には、前記スライド機構３０の一端を固定するための位置決め軸１０９が装着されている。
【００１１】
前記表示側ケース２０は、前記操作側ケース１０とほぼ同じ形状及びサイズを持ち、対向して配置される第一表面２２及び第二表面２３を含む。前記第一表面２２には、情報や画像などを表示するための表示スクリーン２４が実装されている。前記操作側ケース１０に対面する前記第二表面２３の略中部には、矩形を呈する収容凹所２５が開設されており、前記収容凹所２５は前記スライド機構３０を収納するために用いられる。前記収容凹所２５の両側には、前記表示側ケース２０の短手方向に沿って延在するガイド溝２６がそれぞれ設けられている。且つ、前記収容凹所２５の前記表示側ケース２０の長手方向に沿う２つの端縁には、それぞれ第一突片２５２及び第二突片２５４が設けられている。前記第一突片２５２及び前記第二突片２５４は、全て前記収容凹所２５の底面に平行し、且つ前記表示側ケース２０の長手方向に直交して向き合うように延在する。各ガイド溝２６の断面はＴ字状を呈し、前記位置決め部材１０８を収納するために用いられる。しかも、各ガイド溝２６の端縁には開口２６２を有するから、前記位置決め部材１０８は前記開口２６２を介して前記ガイド溝２６に滑り込むか又は前記ガイド溝２６から滑り出すことができる。
【００１２】
前記スライド機構３０は、固定板３１、スライド板３３及び旋回部材３５を備える。前記固定板３１は、その両側に形成されている２つのレール部３１２と、その底面に開設される１つの第一固定穴３１４と、を含む。前記固定板３１は前記収容凹所２５内に固定され、前記第一固定穴３１４は前記旋回部材３５の一端を固定するために用いられる。前記スライド板３３は、前記固定板３１に対してスライド可能に設置され、且つ前記旋回部材３５を介して前記固定板３１に連結される。
【００１３】
前記スライド板３３の基板３３２には、第二固定穴３３０、第一当接部３３４、第二当接部３３５、２つのスライド端３３６、ノッチ３３７、２つの山形部３３８及び１つの第一固定部３３９が設けられている。前記第一当接部３３４及び前記第二当接部３３５は、前記基板３３２の対向する両端にそれぞれ形成されて、前記第一当接部３３４及び前記第二当接部３３５を前記収容凹所２５の第一突片２５２及び第二突片２５４に当止させることにより、前記操作側ケース１０に対して前記表示側ケース２０を異なる位置に位置決めする。前記２つのスライド端３３６は、前記レール部３１２に対応して前記基板３３２の対向する他の両端に設けられ且つ前記固定板３１の２つの前記レール部３１２とスライド可能に組み合せる。前記ノッチ３３７は、細長い溝であり、前記基板３３２の中部を貫通する。前記２つの山形部３３８は、前記ノッチ３３７の両側に対称的に突設され、その間には第二回転軸４２が設置されている。前記第一固定部３３９は、前記ノッチ３３７と同じ直線上に位置されるように前記基板３３２の上面に設けられて、前記トーションバネ７０の一端を固定するために用いられる。前記軸筒３３３は、前記基板３３２の前記第一当接部３３４が設置されている一端から突き出して、前記操作側ケース１０の位置決め軸１０９に回転可能に枢着される。
【００１４】
前記旋回部材３５の両端は、ネジ３５１などによって前記固定板３１の第一固定穴３１４及び前記スライド板３３の第二固定穴３３０にそれぞれ固定される。前記旋回部材３５によって前記固定板３１に対する前記スライド板３３のスライド行程を規制して、前記電子装置１００の開いた状態及び閉じられた状態に対応して、前記スライド板３３を前記固定板３１の異なる位置に固定する。
【００１５】
前記回転支持部材５０は、その両端の軸穴５２によって前記第二回転軸４２及び前記第一回転軸４０に回転可能に枢着される。前記２つの軸穴５２の間には第二固定部５４が突設され、且つ前記第二固定部５４の一端には前記トーションバネ７０の他端を固定するための穴（図示せず）が開設されている。
【００１６】
本発明において、前記トーションバネ７０はトーションバネであるのが好ましい。前記トーションバネ７０は、コイル状部７０２及び前記コイル状部７０２の両端から延在する延伸部７０４を含む。自然状態で、前記２つの延伸部７０４は鋭角を成して延在する。前記２つの延伸部７０４は、それぞれ前記第一固定部３３９及び前記第二固定部５４に固定される。
【００１７】
以下、図３及び図４を一緒に参照しながら、本発明の電子装置１００の組立ステップについて詳細に説明する。
まず、前記スライド機構３０の固定板３１の２つのレール部３１２をそれぞれ前記表示側ケース２０の収容凹所２５の両側のレール部（図示せず）に係合して固定する。続いて、前記旋回部材３５の両端のネジ３５１をそれぞれ前記固定板３１の第一固定穴３１４及び前記スライド板３３の第二固定穴に固定してから、前記スライド板３３を前記収容凹所２５内にスライド可能に装着し、且つ前記スライド板３３の軸筒３３３を前記操作側ケース１０の位置決め軸１０９に枢着する。次に、前記スライド板３３の軸筒３３３を前記操作側ケース１０の位置決め軸１０９に回転可能に枢着する。それから、前記回転支持部材５０の両端を、それぞれ前記操作側ケース１０上の第一回転軸４０及び前記スライド板３３の第二回転軸４２に回転可能に枢着する。最後に、前記トーションバネ７０の２つの延伸部７０４をそれぞれ前記スライド板３３の第一固定部３３９及び前記旋回部材５０の第二固定部５４に固定する。これで、電子装置１００を一体に組み立てた。
【００１８】
図４に示すように、前記電子装置１００が完全に閉じられた場合、前記スライド板３３のスライド端３３６は前記固定板３１のレール部３１２から滑り出して、前記スライド板３３は前記固定板３１に対して開けられる（両者は同じ表面に位置する）。前記スライド板３３の第二当接部３３５は前記収容凹所２５の第二突片２５４に当止され、且つ前記操作側ケース１０上の２つの位置決め部材１０８は前記表示側ケース２０の両側のガイド溝２６内に滑り込んで収納されるので、前記表示側ケース２０は、前記位置決め部材１０８を介して前記操作側ケース１０に積層してロックされる。この際、前記回転支持部材５０は前記操作側ケース１０の収納凹部１０４内に収納され、前記スライド板３３と前記回転支持部材５０との間にはほぼ平角を呈し、前記トーションバネ７０のコイル状部７０２は前記スライド板３３及び前記回転支持部材５０に圧縮されて弾発力を蓄積する。
【００１９】
図５乃至図７を一緒に参照すると、前記電子装置１００を開ける場合、前記操作側ケース１０の短手方向に沿って前記表示側ケース２０に推力を印加すると、前記固定板３１は前記表示側ケース２０と共に前記操作側ケース１０の上面に沿ってスライドし、前記操作側ケース１０の両側の位置決め部材１０８は前記表示側ケース２０の両側のガイド溝２６に沿ってスライドする。前記２つの位置決め部材１０８は前記ガイド溝２６の開口２６２からそれぞれ離脱すると、前記トーションバネ７０は弾性回復して初期状態に収縮しながら、前記回転支持部材５０を斜めに立ち上がらせると共に、前記回転支持部材５０と前記スライド板３３との間の夾角を小さくする。従って、前記表示側ケース２０は前記回転支持部材５０に支持されて前記スライド板３３の軸筒３３３を回転軸として、前記操作側ケース１０に対して傾くように立ち上がる。前記トーションバネ７０は初期状態に復帰したら、前記表示側ケース２０は前記操作側ケース１０に対して完全に開けられて位置決めされる。この際、前記スライド板３３の第一当接部３３４が前記収容凹所２５の第一突片２５２に当止され、前記固定板３１と前記スライド板３３とは互いに重なる。
【００２０】
上述したように、本発明の電子装置１００の表示側ケース２０と操作側ケース１０との間には、スライド機構３０と、前記スライド機構３０に回転可能に枢着される回転支持部材５０と、前記スライド機構３０と前記回転支持部材５０との間に固定されるトーションバネ７０と、が設置される。前記回転支持部材５０は前記トーションバネ７０のトルクにより前記操作側ケース１０に対して斜めに立ち上がると共に、前記表示側ケース２０を前記操作側ケース１０に対して傾くように持ち上げる。従って本発明の電子装置１００を卓上に置いても、ユーザーは表示された画面を閲覧し易く、最もよい視覚効果を得られる。
【００２１】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００２２】
１０        操作側ケース
２０        表示側ケース
２２        第一表面
２３        第二表面
２４        表示スクリーン
２５        収容凹所
２６        ガイド溝
３０        スライド機構
３１        固定板
３３        スライド板
３５        旋回部材
４０        第一回転軸
４２        第二回転軸
５０        回転支持部材
５２        軸穴
５４        第二固定部
７０        トーションバネ
１００      電子装置
１０３      矩形凹所
１０４      収納凹部
１０５      第一凹部
１０６      第二凹部
１０７      ガイド溝
１０８      位置決め部材
１０９      位置決め軸
２５２      第一突片
２５４      第二突片
２６２      開口
３１２      レール部
３１４      第一固定穴
３３０      第二固定穴
３３２      基板
３３３      軸筒
３３４      第一当接部
３３５      第二当接部
３３６      スライド端
３３７      ノッチ
３３８      山形部
３３９      第一固定部
３５１      ネジ
７０２      コイル状部
７０４      延伸部
【図１】
2011147101.tif 000003
【図２】
2011147101.tif 000004
【図３】
2011147101.tif 000005
【図４】
2011147101.tif 000006
【図５】
2011147101.tif 000007
【図６】
2011147101.tif 000008
【図７】
2011147101.tif 000009